(57)【要約】  エレベーターのリニューアル方法は、旧制御盤を新制御盤に取り替える工程と、複数の端子ユニットによって構成され、各端子ユニットの二次端子部に新設旧規格コネクタのピン番号を個別に割り当てて新設旧規格コネクタを接続した接続治具を準備する工程と、旧機器の旧ケーブルを構成する複数の信号線を旧ケーブルの既設旧規格コネクタから切断して分離し、既設旧規格コネクタのピン番号が個別に割り当てられた複数の信号線を、各端子ユニットの一次端子部と二次端子部とでピン番号が一致するように、各端子ユニットの一次端子部に個別に対応させて接続する工程と、接続治具に接続される新設旧規格コネクタを、中継ハーネスを介して、新制御盤の新エレベーター制御基板側の新規格コネクタに接続することで、旧機器を新エレベーター制御基板と通信可能な状態にする工程と、を含んで構成される。
2019073606.tif 000002
【特許請求の範囲】
【請求項１】
既設のエレベーターの少なくとも一部の機器をリニューアルするエレベーターのリニューアル方法であって、
旧通信方式によって旧乗場機器および旧かご機器の少なくともいずれかを含む旧機器と通信する旧エレベーター制御基板を有する旧制御盤を、新通信方式によって新乗場機器および新かご機器の少なくともいずれかを含む新機器と通信する新エレベーター制御基板を有する新制御盤に取り替える工程と、
一次端子部および前記一次端子部と導通する二次端子部を有する複数の端子ユニットによって構成され、各端子ユニットの前記二次端子部に新設旧規格コネクタのピン番号を個別に割り当てて前記新設旧規格コネクタを接続した接続治具を準備する工程と、
前記旧機器の旧ケーブルを構成する複数の信号線を前記旧ケーブルの既設旧規格コネクタから切断して分離し、前記既設旧規格コネクタのピン番号が個別に割り当てられた前記複数の信号線を、各端子ユニットの前記一次端子部と前記二次端子部とでピン番号が一致するように、各端子ユニットの前記一次端子部に個別に対応させて接続する工程と、
前記接続治具に接続される前記新設旧規格コネクタを、中継ハーネスを介して、前記新エレベーター制御基板側の新規格コネクタに接続することで、前記旧機器を前記新エレベーター制御基板と通信可能な状態にする工程と、
を含むエレベーターのリニューアル方法。
【請求項２】
前記旧通信方式は、シリアル通信方式またはパラレル通信方式である
請求項１に記載のエレベーターのリニューアル方法。
【請求項３】
前記新通信方式は、シリアル通信方式またはパラレル通信方式である
請求項１または請求項２に記載のエレベーターのリニューアル方法。
【請求項４】
前記新エレベーター制御基板側の前記新規格コネクタは、前記旧通信方式と前記新通信方式との間で通信方式を相互に変換する通信変換基板に接続され、
前記新エレベーター制御基板は、前記通信変換基板を介して前記旧機器と通信可能なように構成される
請求項１から請求項３のいずれか１項に記載のエレベーターのリニューアル方法。
【請求項５】
前記通信変換基板は、前記新制御盤に設けられている
請求項４に記載のエレベーターのリニューアル方法。
【請求項６】
前記通信変換基板は、前記新制御盤とは別体の付属盤に設けられている
請求項４に記載のエレベーターのリニューアル方法。
【請求項７】
前記新エレベーター制御基板側の前記新規格コネクタは、前記新エレベーター制御基板に接続される
請求項１から請求項３のいずれか１項に記載のエレベーターのリニューアル方法。
【請求項８】
前記旧機器を前記新機器に取り替える工程と、
前記旧ケーブルを新ケーブルに取り替え、前記新エレベーター制御基板と前記新機器との間を前記新ケーブルにより接続する工程と、
をさらに含み、
前記新エレベーター制御基板は、前記新ケーブルを介して前記新機器と通信可能なように構成される
請求項１から請求項７のいずれか１項に記載のエレベーターのリニューアル方法。
【発明の詳細な説明】
【技術分野】
【０００１】
この発明は、既設のエレベーターの少なくとも一部の機器をリニューアルするエレベーターのリニューアル方法に関する。
【背景技術】
【０００２】
既設のエレベーターに対して、機器の経年劣化への対応、あるいは省エネルギ等の性能向上を図るために、新規のエレベーターに取り替えるエレベーターのリニューアルが行われている。なお、エレベーターのリニューアル工事期間中は、エレベーターの運転を長期間にわたって連続的に休止する必要がある。【０００３】
そのため、特に高齢者の多いマンション、病院等では、エレベーターの長期間休止がリニューアルの大きな障害となっていた。そこで、エレベーターのリニューアルにおいては、利用者の利便性を考慮して、エレベーターの連続休止期間をなるべく短縮することが求められている。【０００４】
ここで、エレベーターの連続休止期間を短縮するために、旧シリアル伝送方式とは少なくともデータの伝送速度が異なる新シリアル伝送方式の新伝送制御部と、新伝送制御部に接続された新伝送制御用ＣＰＵと、乗り場側に設けられた旧シリアル伝送方式の旧伝送制御部に接続された旧伝送制御用ＣＰＵと、新伝送制御用ＣＰＵおよび旧伝送制御用ＣＰＵの双方に接続され、乗り場側の旧伝送変換部から伝送された旧シリアル伝送方式のデータを旧伝送制御用ＣＰＵを介して保存するとともに、当該保存されたデータを新伝送制御用ＣＰＵを介して新伝送制御部からアクセス可能に保持する一方、新伝送制御部から伝送された新シリアル伝送方式のデータを新伝送制御用ＣＰＵを介して保存するとともに、当該保存されたデータを旧伝送制御用ＣＰＵを介して乗り場側の旧伝送変換部からアクセス可能に保持するデュアルポートメモリとを含む新旧伝送変換部と、を備えたエレベーター制御装置が提案されている（例えば、特許文献１参照）。
【先行技術文献】
【特許文献】
【０００５】
【特許文献１】特許第５８５１２６３号公報
【発明の概要】
【発明が解決しようとする課題】
【０００６】
しかしながら、特許文献１に記載されたエレベーター制御装置を用いたエレベーターのリニューアル方法は、既設のエレベーターで使用していた部品を交換せず流用することで、エレベーター制御盤のリニューアルに要する時間を短縮するものであって、既設のエレベーターを新規のエレベーターに取り替えるエレベーターのリニューアルにおいて、エレベーターの連続休止期間の短縮に寄与するものではないという問題がある。【０００７】
この発明は、上記のような課題を解決するためになされたものであり、既設のエレベーターの少なくとも一部の機器をリニューアルするリニューアル工事期間中におけるエレベーターの連続休止期間を短縮することができるエレベーターのリニューアル方法を得ることを目的とする。
【課題を解決するための手段】
【０００８】
この発明に係るエレベーターのリニューアル方法は、既設のエレベーターの少なくとも一部の機器をリニューアルするエレベーターのリニューアル方法であって、旧通信方式によって旧乗場機器および旧かご機器の少なくともいずれかを含む旧機器と通信する旧エレベーター制御基板を有する旧制御盤を、新通信方式によって新乗場機器および新かご機器の少なくともいずれかを含む新機器と通信する新エレベーター制御基板を有する新制御盤に取り替える工程と、一次端子部および一次端子部と導通する二次端子部を有する複数の端子ユニットによって構成され、各端子ユニットの二次端子部に新設旧規格コネクタのピン番号を個別に割り当てて新設旧規格コネクタを接続した接続治具を準備する工程と、旧機器の旧ケーブルを構成する複数の信号線を旧ケーブルの既設旧規格コネクタから切断して分離し、既設旧規格コネクタのピン番号が個別に割り当てられた複数の信号線を、各端子ユニットの一次端子部と二次端子部とでピン番号が一致するように、各端子ユニットの一次端子部に個別に対応させて接続する工程と、接続治具に接続される新設旧規格コネクタを、中継ハーネスを介して、新エレベーター制御基板側の新規格コネクタに接続することで、旧機器を新エレベーター制御基板と通信可能な状態にする工程と、を含むものである。
【発明の効果】
【０００９】
この発明によれば、既設のエレベーターの少なくとも一部の機器をリニューアルするリニューアル工事期間中におけるエレベーターの連続休止期間を短縮することができるエレベーターのリニューアル方法を得ることができる。
【図面の簡単な説明】
【００１０】
【図１】この発明の実施の形態１に係るエレベーターのリニューアル方法が適用されるエレベーター装置を示す構成図である。
【図２】この発明の実施の形態１に係るエレベーターのリニューアル方法における各分割施工ステップのリニューアル内容および主な取り替え機器を示す説明図である。
【図３】この発明の実施の形態１に係るエレベーターのリニューアル方法が適用されるエレベーター装置における初期状態を示すブロック構成図である。
【図４】この発明の実施の形態１に係るエレベーターのリニューアル方法が適用されるエレベーター装置における制御盤取り替え後の状態を示すブロック構成図である。
【図５】この発明の実施の形態１に係るエレベーター制御盤における通信変換基板を示すハードウェア構成図である。
【図６】この発明の実施の形態１に係るエレベーター制御盤において、旧ケーブルの旧規格コネクタを中継ハーネスに接続する方法を示す説明図である。
【図７】この発明の実施の形態１に係るエレベーター制御盤において、中継ハーネスの新規格コネクタに接続される複数の信号線に、旧ケーブルを構成する複数の信号線を接続する方法を示す説明図である。
【図８】この発明の実施の形態１に係るエレベーター制御盤において、接続治具を用いて、旧ケーブルを通信変換基板に接続する方法を示す説明図である。
【図９】図８の接続治具の一例を示す斜視図である。
【図１０】図８の接続治具の別例を示す斜視図である。
【図１１】この発明の実施の形態１に係るエレベーター制御盤において、接続治具を用いて、旧ケーブルを新エレベーター制御基板に接続する方法を示す説明図である。
【図１２】この発明の実施の形態１に係るエレベーターのリニューアル方法が適用されるエレベーター装置における乗場機器およびかご機器取り替え後の状態を示すブロック構成図である。
【図１３】この発明の実施の形態１に係るエレベーターのリニューアル方法が適用されるエレベーター装置における制御盤取り替え後の状態の別例を示すブロック構成図である。
【図１４】この発明の実施の形態１に係るエレベーター付属盤において、接続治具を用いて、旧ケーブルを通信変換基板に接続する方法を示す説明図である。
【発明を実施するための形態】
【００１１】
以下、この発明に係るエレベーターのリニューアル方法の好適な実施の形態につき図面を用いて説明するが、各図において同一、または相当する部分については、同一符号を付して説明する。なお、これ以降、エレベーター制御盤を単に制御盤とも称し、エレベーター付属盤を単に付属盤とも称する。また、実施の形態で用いられる「通信」とは、制御信号、電圧信号、電流信号等の各種信号の送受信を含むものである。
【００１２】
実施の形態１．
図１は、この発明の実施の形態１に係るエレベーターのリニューアル方法が適用されるエレベーター装置を示す構成図である。図１において、機械室１には、巻上モータを含む巻上機２、制御盤３および調速機４が設けられている。昇降路５には、かご６、釣り合いおもり７、かご６と釣り合いおもり７とを連結する主索８、ガイドレール９および終点スイッチ１０が設けられている。かご６には、ドアモータを含むドア駆動装置１１およびかご操作盤１２が設けられている。乗場１３には、乗場操作盤１４が設けられている。ピット１５には、緩衝器１６が設けられている。制御盤３とかご上ステーション１８との間は、移動ケーブル１７で接続され、かご上ステーション１８とかご機器とが接続されている。なお、かご上ステーション１８は、ドアの開閉制御その他かご機器との中継機能を有する。
【００１３】
ここで、かご機器とは、ドア駆動装置１１、かご操作盤１２、かご上ステーション１８等のかご周りの機器のことをいう。また、乗場機器とは、乗場操作盤１４等の乗場周りの機器のことをいう。また、昇降路機器とは、終点スイッチ１０および図１に示していない昇降路ケーブル等のことをいう。
【００１４】
なお、この発明の実施の形態１では、エレベーターのリニューアル工事期間中におけるエレベーターの連続休止期間を短縮するために、リニューアル工事を複数の分割施工ステップに分割するとともに、各分割施工ステップが完了した後、エレベーターを利用可能とすべく、新旧双方の巻上機等を制御することができるエレベーター制御盤を開発した。
【００１５】
すなわち、エレベーターのリニューアル工事期間中におけるエレベーターの連続休止期間を短縮するためには、リニューアル工事の各分割施工ステップが完了した時点でエレベーターを利用可能とすることが前提となる。例えば、マンションでは、通勤、通学等の利用者が多い朝晩の時間帯、飲食テナントビルでは、夕方、夜等の営業時間帯にエレベーターを利用可能とする必要がある。
【００１６】
そこで、１日に確保できる工事時間を設定して、工事内容および各工事に要する時間を分析した結果に基づき、時間内に完了する工事内容を分割施工ステップ毎に設定した。つまり、リニューアル工事内容を、それぞれの分割施工ステップの終了後には常にエレベーターが通常運転可能な状態となる単位で一連の分割施工ステップとして分割する。さらに、一連の分割施工ステップに従ってリニューアル工事を実施する。ここで、各分割施工ステップのリニューアル内容および主な取り替え機器を図２に示す。図２は、この発明の実施の形態１に係るエレベーターのリニューアル方法における各分割施工ステップのリニューアル内容および主な取り替え機器を示す説明図である。図２において、リニューアル工事は、主に５つの分割施工ステップに分かれるが、エレベーターの仕様によっては、各分割施工ステップを更に分割することが必要になる。
【００１７】
具体的には、旧機器と新機器とを取り替える一連の分割施工ステップの内、エレベーターを利用可能とする時間帯を設ける分割施工ステップ群に分割してリニューアル工事を実施する。また、エレベーターを利用可能とする時間帯は、リニューアル前のエレベーターの起動頻度、建物の用途により決定される。また、少なくとも１日に確保できる工事時間と工事完了後にエレベーターが利用できる分割施工ステップ群に分割してリニューアル工事を実施する。つまり、一連の分割施工ステップは、それぞれの分割施工ステップがさらにリニューアル工事期間中のリニューアル工事日毎に連続で確保できる、一連の工事時間のそれぞれで完了するように分割されている。すなわち、通常運転モードと据付作業モードとがあり、各分割施工ステップが完了するたびに据付作業モードから通常運転モードに切替えて、エレベーターを就役（サービス）可能とし、乗客にエレベーター利用を供する通常運転を行うことができる。
【００１８】
（リニューアル方法）
続いて、図１、図２とともに、図３〜図１４を参照しながら、この発明の実施の形態１に係るエレベーターのリニューアル方法について説明する。図３は、この発明の実施の形態１に係るエレベーターのリニューアル方法が適用されるエレベーター装置における初期状態を示すブロック構成図である。
【００１９】
図３において、エレベーター装置の初期状態では、取り替え前の旧制御盤１００に、旧シリアル通信方式により旧乗場機器２００および旧かご機器３００が接続されている。旧制御盤１００は、旧乗場機器２００、旧かご機器３００、図示しない旧巻上機等の動作を制御する旧エレベーター制御基板１１０を有している。
【００２０】
（分割施工ステップ１：機械室改修）
ここで、このエレベーター装置に対して、図２で示した分割施工ステップ１により、エレベーター制御盤を取り替える。つまり、分割施工ステップ１では、既設のエレベーターの旧制御盤を新制御盤に取り替える。図４は、この発明の実施の形態１に係るエレベーターのリニューアル方法が適用されるエレベーター装置における制御盤取り替え後の状態を示すブロック構成図である。
【００２１】
なお、分割施工ステップ１によりエレベーター制御盤を最初に取り替えるのは、乗場機器あるいはかご機器を先に取り替えると、これらの機器との情報のやりとりが増えることになり、既設のエレベーター制御盤では対応が困難になり、改造する必要が生じるためである。そのため、エレベーター制御盤を分割施工ステップ１で最初に取り替えることにより、その後、乗場機器あるいはかご機器を取り替えても、先に取り替えたエレベーター制御盤で対応可能になる。
【００２２】
図４において、旧制御盤１００が新制御盤１００Ａに取り替えられる。新制御盤１００Ａには、旧乗場機器２００および旧かご機器３００が接続されている。また、新制御盤１００Ａは、図３に示した旧エレベーター制御基板１１０に代えて、新エレベーター制御基板１１０Ａを有している。
【００２３】
新エレベーター制御基板１１０Ａは、後述する新乗場機器、新かご機器、新巻上機等の動作を制御する機能だけでなく、図２で示した各分割施工ステップに応じてパラメータの設定を変更することにより、旧乗場機器２００、旧かご機器３００、旧巻上機等の動作を制御する機能も有している。
【００２４】
しかしながら、新エレベーター制御基板１１０Ａは、新かご機器との間で、旧シリアル通信方式よりも大容量のデータの送受信を可能とした新シリアル通信方式、例えばＣＡＮ（Ｃｏｎｔｒｏｌｌｅｒ  Ａｒｅａ  Ｎｅｔｗｏｒｋ）通信方式により通信を行うので、新エレベーター制御基板１１０Ａと旧かご機器３００とは、直接通信することができない。ここで、旧シリアル通信方式の一例としては、通信速度が４８００ｂｐｓであり、ＣＡＮ通信方式の一例としては、通信速度が１２２．８８ｋｂｐｓであり、旧シリアル通信方式に比べて、新シリアル通信方式のデータの伝送速度は、約１０倍以上の伝送速度となっている。
【００２５】
また、旧シリアル通信方式よりもＣＡＮ通信方式が大容量のデータを通信できるため、新かご機器に搭載された表示装置には、旧かご機器に搭載された表示装置よりも大容量の表示が行える効果がある。また、旧かご機器にはない例えば表示装置と一体となったタッチ式のかご操作機能などが、新かご機器で実現することができる。
【００２６】
なお、新エレベーター制御基板１１０Ａと旧かご機器３００との通信の具体的な内容は、ドア駆動装置１１の状態情報、かご操作盤１２の表示指令、かご操作盤１２の釦およびスイッチ類の動作情報、アナウンス指令等である。
【００２７】
そこで、新制御盤１００Ａは、旧シリアル通信方式と新シリアル通信方式（ＣＡＮ通信方式）との間で通信方式を相互に変換する通信変換部としての通信変換基板１２０Ａをさらに有している。図５は、この発明の実施の形態１に係るエレベーター制御盤における通信変換基板を示すハードウェア構成図である。図５において、通信変換基板１２０Ａは、ＣＰＵ１２１と、ＲＡＭ１２２と、シリアル入出力部１２３と、パラレル入出力部１２４とを有している。なお、図５では、１つのＣＰＵと１つのメモリとから、通信変換基板１２０Ａを構成する場合を例示している。
【００２８】
シリアル入出力部１２３は、通信変換基板１２０Ａにシリアル信号を入力したり、通信変換基板１２０Ａからシリアル信号を出力したりするためのものである。パラレル入出力部１２４は、通信変換基板１２０Ａにパラレル信号を入力したり、通信変換基板１２０Ａからパラレル信号を出力したりするためのものである。
【００２９】
なお、実施の形態１では、上述したとおり、新エレベーター制御基板１１０Ａが旧かご機器３００と通信するために、通信変換基板１２０Ａは、旧シリアル通信方式と新シリアル通信方式との間で通信方式を相互に変換する場合を例示している。この場合、シリアル入出力部１２３に旧かご機器３００からシリアル信号が入力されたり、シリアル入出力部１２３から旧かご機器３００にシリアル信号が出力されたりすることとなる。
【００３０】
ＣＰＵ１２１は、新エレベーター制御基板１１０Ａからのデータを、旧かご機器３００に対応したデータにフォーマット変換し、ＲＡＭ１２２に記憶する。また、ＣＰＵ１２１は、旧かご機器３００からのデータを、新エレベーター制御基板１１０Ａに対応したデータにフォーマット変換し、ＲＡＭ１２２に記憶する。なお、フォーマットとは、ｂｉｔ数等のデータ構造を指している。
【００３１】
また、ＣＰＵ１２１は、新エレベーター制御基板１１０Ａからの求めに応じて、フォーマット変換されたデータをＲＡＭ１２２から取り出して出力し、旧かご機器３００からの求めに応じて、フォーマット変換されたデータをＲＡＭ１２２から取り出して出力する。これにより、新エレベーター制御基板１１０Ａと旧かご機器３００とが、通信変換基板１２０Ａを介して互いに通信することができる。
【００３２】
また、通信変換基板１２０Ａを用いることにより、例えば伝送周期を変えない場合であっても、通信速度が増えているため、１周期あたりの送信できるデータ量が増えている。また、データ量が増えることにより、エラーチェック機能を強化させることができる。
【００３３】
なお、実施の形態１では、通信方式がシリアル通信方式である旧かご機器３００に対して通信変換基板１２０Ａを適用する場合を例示しているが、通信方式がパラレル通信方式である旧かご機器に対しても通信変換基板１２０Ａを適用可能である。
【００３４】
パラレル通信方式の旧かご機器に対して通信変換基板１２０Ａを適用する場合、通信変換基板１２０Ａは、旧パラレル通信方式と新シリアル通信方式との間で通信方式を相互に変換する。この場合、パラレル入出力部１２４に旧かご機器からパラレル信号が入力されたり、パラレル入出力部１２４から旧かご機器にパラレル信号が出力されたりすることとなる。旧パラレル通信方式と新シリアル通信方式との間で通信方式を相互に変換する処理は、旧シリアル通信方式と新シリアル通信方式との間で通信方式を相互に変換する上記で説明した処理と同様の処理である。
【００３５】
また、エレベーター装置の構成によっては、通信変換基板１２０Ａは、旧シリアル通信方式と新パラレル通信方式との間で通信方式を相互に変換する構成、または旧パラレル通信方式と新パラレル通信方式との間で通信方式を相互に変換したりする構成が採用されることも考えられる。
【００３６】
このように、旧エレベーター制御基板１１０が旧機器と通信する方式、すなわち旧通信方式としては、シリアル通信方式またはパラレル通信方式が考えられる。また、新エレベーター制御基板１１０Ａが新機器と通信する方式、すなわち新通信方式としては、シリアル通信方式またはパラレル通信方式が考えられる。
【００３７】
通信変換基板１２０Ａは、新制御盤１００Ａから着脱可能に設けられている。すなわち、後述する乗場機器およびかご機器の取り替え後は、これらの機器と新エレベーター制御基板１１０Ａとが通信変換基板１２０Ａを介さずに直接通信できるようになるので、通信変換基板１２０Ａは不要になる。
【００３８】
そこで、通信変換基板１２０Ａを新制御盤１００Ａから取り外すことにより、他の現場で通信変換基板１２０Ａを再利用することができ、コストを低減することができる。
【００３９】
なお、ここでは、旧かご機器３００を、通信変換基板１２０Ａを介して新エレベーター制御基板１１０Ａと通信可能な状態にする場合を例示したが、これに限定されない。すなわち、必要に応じて、旧乗場機器２００を、通信変換基板１２０Ａを介して新エレベーター制御基板１１０Ａと通信可能な状態にしてもよい。また、通信変換基板１２０Ａを用いなくても、新エレベーター制御基板１１０Ａと通信可能な状態にできる旧機器については、通信変換基板１２０Ａを介さずに新エレベーター制御基板１１０Ａに接続してもよい。
【００４０】
このように、旧制御盤１００と通信可能な状態であった、旧乗場機器２００および旧かご機器３００の少なくともいずれかを含む旧機器を、新制御盤１００Ａに設けられた通信変換基板１２０Ａを介して新エレベーター制御基板１１０Ａと通信可能な状態にする。
【００４１】
上記のとおり、既設のエレベーターの旧制御盤を新制御盤に取り替える工程の後に、新エレベーター制御基板１１０Ａは、通信変換基板１２０Ａを介して旧機器と通信可能なように構成される。これにより、新エレベーター制御基板１１０Ａによる旧乗場機器２００および旧かご機器３００の制御が可能となり、その結果、乗客にエレベーター利用を供する通常運転を行うことが可能となる。そのため、リニューアル工事の各工程の間に乗客がエレベーターを利用可能となるため、エレベーターのリニューアル工事期間中におけるエレベーターの連続休止期間を短縮することが可能となる。
【００４２】
次に、分割施工ステップ１で実施される旧乗場機器２００および旧かご機器３００のそれぞれの旧ケーブルの流用について説明する。旧ケーブルは、複数の信号線を束ねて構成される。旧ケーブルの各信号線は、シリアル信号線またはパラレル信号線である。換言すると、通信方式がシリアル通信方式である旧機器の旧ケーブルの各信号線は、シリアル信号線であり、通信方式がパラレル通信方式である旧機器の旧ケーブルの各信号線は、パラレル信号線である。
【００４３】
分割施工ステップ１において、旧乗場機器２００および旧かご機器３００を流用するのに合わせて、旧機器用ケーブルも流用する。すなわち、旧制御盤１００との間を接続していた旧乗場機器２００の旧ケーブルを、新エレベーター制御基板１１０Ａに接続する。また、旧制御盤１００との間を接続していた旧かご機器３００の旧ケーブルを、通信変換基板１２０Ａに接続する。
【００４４】
しかしながら、旧乗場機器２００の旧ケーブルの旧規格コネクタと、新制御盤１００Ａの新エレベーター制御基板１１０Ａに接続される新規格コネクタとは、種類、ピンアサイン等が互いに異なるので、直接接続することができない。同様に、旧かご機器３００の旧ケーブルの旧規格コネクタと、新制御盤１００Ａの通信変換基板１２０Ａに接続される新規格コネクタとは、種類、ピンアサイン等が互いに異なるので、直接接続することができない。
【００４５】
そこで、図６に示されるように、メス側の新規格コネクタ１４１Ａおよびメス側の旧規格コネクタ１４２Ａを有する中継ハーネス１４０Ａが新制御盤１００Ａに設けられる。図６は、この発明の実施の形態１に係るエレベーター制御盤において、旧ケーブルの旧規格コネクタを中継ハーネスに接続する方法を示す説明図である。
【００４６】
図６において、中継ハーネス１４０Ａでは、メス側の新規格コネクタ１４１Ａとメス側の旧規格コネクタ１４２Ａが接続されている。中継ハーネス１４０Ａのメス側の新規格コネクタ１４１Ａは、通信変換基板１２０Ａに接続されるオス側の新規格コネクタ１３０Ａと接続可能となっている。また、中継ハーネス１４０Ａのメス側の旧規格コネクタ１４２Ａは、旧ケーブルに接続される既設のオス側の旧規格コネクタ４１０と接続可能となっている。
【００４７】
分割施工ステップ１において、旧制御盤１００を新制御盤１００Ａに取り替えた後、旧制御盤１００の旧規格コネクタと旧ケーブルの旧規格コネクタ４１０との接続を外し、さらに、新制御盤１００Ａに中継ハーネス１４０Ａを取り付ける。その後、新規格コネクタ１３０Ａと新規格コネクタ１４１Ａを接続し、旧規格コネクタ４１０と旧規格コネクタ１４２Ａを接続する。
【００４８】
これにより、旧制御盤１００との間を接続していた旧ケーブルが通信変換基板１２０Ａに接続され、新エレベーター制御基板１１０Ａは、通信変換基板１２０Ａを介して旧かご機器３００と通信可能な状態となる。
【００４９】
ここで、旧ケーブルを新制御盤１００Ａに接続する際に旧ケーブルの旧規格コネクタ４１０を利用できないケースを考える。一例として、旧制御盤１００の旧規格コネクタと旧ケーブルの旧規格コネクタ４１０との接続が、コネクタの経年使用等に起因して外れない場合、旧規格コネクタ４１０を利用できない。別例として、工事時間に制約があり、旧制御盤１００の旧規格コネクタと旧規格コネクタ４１０との接続を外す時間を確保できない場合、旧規格コネクタ４１０を利用できない。
【００５０】
旧規格コネクタ４１０を利用できない場合、図７に示されるように、旧ケーブルを構成する複数の信号線を旧規格コネクタ４１０から切断することで、旧規格コネクタ４１０から複数の信号線を分離する。図７は、この発明の実施の形態１に係るエレベーター制御盤において、中継ハーネスの新規格コネクタに接続される複数の信号線に、旧ケーブルを構成する複数の信号線を接続する方法を示す説明図である。
【００５１】
その後、中継ハーネス１４０Ａにおいて、新規格コネクタ１４１Ａと旧規格コネクタ１４２Ａを接続する複数の信号線を切断し、新規格コネクタ１４１Ａに接続される複数の信号線と、旧ケーブルを構成する複数の信号線を、互いの線同士を対応させて圧着端子等で接続する。以下、旧ケーブルを構成する複数の信号線を、旧ケーブル信号線と称し、新規格コネクタ１４１Ａに接続される複数の信号線を、新規格コネクタ信号線と称す。
【００５２】
これにより、旧制御盤１００との間を接続していた旧ケーブルが通信変換基板１２０Ａに接続され、新エレベーター制御基板１１０Ａは、通信変換基板１２０Ａを介して旧かご機器３００と通信可能な状態となる。
【００５３】
ただし、上記の方法によって、旧ケーブル信号線と新規格コネクタ信号線を、互いの線同士を対応させて接続することで、旧ケーブルを新制御盤１００Ａの通信変換基板１２０Ａに接続する場合、作業に手間がかかる可能性がある。すなわち、旧ケーブル信号線と新規格コネクタ信号線の接続について、対応する線同士を探すのに時間がかかったり、対応しない線同士を誤って接続したりする可能性がある。
【００５４】
そこで、図８に示されるように、一次端子部および二次端子部を有する複数の端子ユニット４３１によって構成される接続治具４３０を用いて、旧ケーブルを通信変換基板１２０Ａに接続する。図８は、この発明の実施の形態１に係るエレベーター制御盤において、接続治具を用いて、旧ケーブルを通信変換基板に接続する方法を示す説明図である。なお、複数の端子ユニット４３１のそれぞれを区別する場合には、各端子ユニットの符号を４３１（１），４３１（２），・・・，４３１（Ｎ）と表記する。
【００５５】
各端子ユニット４３１の二次端子部は、新設の旧規格コネクタ４２０のピン番号が個別に割り当てられて、旧規格コネクタ４２０の割り当てられたピン番号のピンと接続される。例えば、端子ユニット４３１（１）の二次端子部は、旧規格コネクタ４２０の１番ピンと対応して接続され、端子ユニット４３１（２）の二次端子部は、旧規格コネクタ４２０の２番ピンと対応して接続される。
【００５６】
各端子ユニット４３１の一次端子部は、各端子ユニット４３１の一次端子部と二次端子部とでピン番号が一致するように、既設の旧規格コネクタ４１０のピン番号が個別に割り当てられた旧ケーブル信号線と接続される。例えば、旧規格コネクタ４２０の１番ピンと接続される二次端子部を有する端子ユニット４３１（１）の一次端子部は、旧規格コネクタ４１０の１番ピンに接続されていた信号線と接続され、旧規格コネクタ４２０の２番ピンと接続される二次端子部を有する端子ユニット４３１（２）の一次端子部は、旧規格コネクタ４１０の２番ピンに接続されていた信号線と接続される。
【００５７】
続いて、接続治具４３０に接続される旧規格コネクタ４２０を中継ハーネス１４０Ａに接続する方法の手順について説明する。
【００５８】
まず、各端子ユニット４３１の二次端子部に旧規格コネクタ４２０のピン番号を個別に割り当てて旧規格コネクタ４２０を接続した接続治具４３０を準備する。
【００５９】
続いて、旧規格コネクタ４１０の各ピン番号に対応して接続される旧ケーブル信号線の各信号線に、旧規格コネクタ４１０の対応するピン番号を割り当てる。具体的には、対応するピン番号が分かるように、各信号線にマーキングをする。例えば、旧規格コネクタ４１０の１番ピンに接続される信号線には、１番と分かるようにマーキングし、旧規格コネクタ４１０の２番ピンに接続される信号線には、２番と分かるようにマーキングする。
【００６０】
旧ケーブル信号線の全ての信号線に上記のマーキングをした後、旧ケーブル信号線を旧規格コネクタ４１０から切断することで、旧規格コネクタ４１０から旧ケーブル信号線を分離する。
【００６１】
続いて、旧規格コネクタ４１０のピン番号が分かるようにマーキングをした旧ケーブル信号線の各信号線を、各端子ユニット４３１の一次端子部と二次端子部とでピン番号が一致するように、各端子ユニット４３１の一次端子部に接続する。例えば、１番と分かるようにマーキングした信号線は、旧規格コネクタ４２０の１番ピンに接続される二次端子部を有する端子ユニット４３１（１）の一次端子部に接続される。また、２番と分かるようにマーキングした信号線は、旧規格コネクタ４２０の２番ピンに接続される二次端子部を有する端子ユニット４３１（２）の一次端子部に接続される。これにより、各端子ユニット４３１の一次端子部と二次端子部とでピン番号が一致する。
【００６２】
以上の手順を実行することで、旧規格コネクタ４２０のピン番号と、旧規格コネクタ４１０のピン番号を対応させて、旧ケーブル信号線の各信号線を、接続治具４３０を介して旧規格コネクタ４２０に接続することができる。
【００６３】
ここで、接続治具４３０の構成例について、図９および図１０を参照しながら説明する。図９は、図８の接続治具の一例を示す斜視図である。図１０は、図８の接続治具の別例を示す斜視図である。
【００６４】
なお、図８〜図１０に示す接続治具４３０は、旧機器の通信方式がシリアル通信方式であっても、パラレル通信方式であっても同様の構成である。特に、図１０では、通信方式がパラレル通信方式である旧機器用の接続治具４３０を例示している。また、通信方式がシリアル通信方式である旧機器用の接続治具４３０の端子ユニット４３１の数は、図１０に示す接続治具４３０の端子ユニット４３１の数よりも少なくすることができる。
【００６５】
接続治具４３０の構成の一例として、図９に示されるように、端子ユニット４３１をいわゆる端子台の形態とすることが考えられる。すなわち、図９に示す接続治具４３０は、複数の端子ユニット４３１を有し、各端子ユニット４３１は、レール４３４に取り付けられている。各端子ユニット４３１は、一次端子部４３２と、一次端子部４３２と導通する二次端子部４３３を有する。各端子ユニット４３１の一次端子部４３２は、旧ケーブル信号線の対応する信号線に接続され、各端子ユニット４３１の二次端子部４３３は、旧規格コネクタ４２０の対応するピンに接続される。
【００６６】
接続治具４３０の構成の別例として、図１０に示されるように、端子ユニット４３１をいわゆるワンタッチコネクタの形態とすることが考えられる。すなわち、図１０に示す接続治具４３０は、複数の端子ユニット４３１を有し、各端子ユニット４３１は、一次端子部４３２と、一次端子部４３２と導通する二次端子部４３３を有する。各端子ユニット４３１の一次端子部４３２は、旧ケーブル信号線の対応する信号線に接続され、各端子ユニット４３１の二次端子部４３３は、旧規格コネクタ４２０の対応するピンに接続される。
【００６７】
図８の説明に戻り、新制御盤１００Ａに中継ハーネス１４０Ａを取り付け、新規格コネクタ１３０Ａと新規格コネクタ１４１Ａを接続し、旧規格コネクタ４２０と旧規格コネクタ１４２Ａを接続する。
【００６８】
このように、各端子ユニット４３１の二次端子部に旧規格コネクタ４２０（新設旧規格コネクタ）のピン番号を個別に割り当てて旧規格コネクタ４２０（新設旧規格コネクタ）を接続した接続治具４３０を準備する。また、旧ケーブルを構成する複数の信号線を旧ケーブルの旧規格コネクタ４１０（既設旧規格コネクタ）から切断して分離する。
【００６９】
続いて、旧規格コネクタ４１０（既設旧規格コネクタ）のピン番号が個別に割り当てられた複数の信号線を、各端子ユニット４３１の一次端子部と二次端子部とでピン番号が一致するように、各端子ユニット４３１の一次端子部に個別に対応させて接続する。接続治具４３０に接続される旧規格コネクタ４２０（新設旧規格コネクタ）を、中継ハーネス１４０Ａを介して、通信変換基板１２０Ａの新規格コネクタ１３０Ａに接続する。
【００７０】
したがって、旧規格コネクタ４１０を利用できない場合であっても、旧ケーブルを新制御盤１００Ａの通信変換基板１２０Ａに接続する作業の容易化が図れる。
【００７１】
これにより、旧機器と旧制御盤１００との間を接続していた旧ケーブルが通信変換基板１２０Ａに接続され、新エレベーター制御基板１１０Ａは、通信変換基板１２０Ａを介して旧機器と通信可能な状態となる。
【００７２】
新制御盤１００Ａと旧かご機器３００との間が旧ケーブルにより接続されると、新エレベーター制御基板１１０Ａは、通信変換基板１２０Ａおよび旧ケーブルを介して新シリアル通信方式から旧シリアル通信方式に変換し、旧シリアル通信方式により旧かご機器３００を制御することが可能となる。また、新エレベーター制御基板１１０Ａは、通信変換基板１２０Ａを介して旧かご機器３００を制御することにより、乗客にエレベーター利用を供する通常運転を行うことが可能となる。
【００７３】
なお、上記では、旧かご機器３００の旧ケーブルを通信変換基板１２０Ａに接続する方法を説明したが、旧乗場機器２００の旧ケーブルを新エレベーター制御基板１１０Ａに接続する方法についても、図８に示す方法と同様である。
【００７４】
すなわち、図１１に示されるように、接続治具４３０を用いて、旧乗場機器２００の旧ケーブルを新エレベーター制御基板１１０Ａに接続する。図１１は、この発明の実施の形態１に係るエレベーター制御盤において、接続治具を用いて、旧ケーブルを新エレベーター制御基板に接続する方法を示す説明図である。
【００７５】
各端子ユニット４３１の二次端子部に旧規格コネクタ４２０（新設旧規格コネクタ）のピン番号を個別に割り当てて旧規格コネクタ４２０（新設旧規格コネクタ）を接続した接続治具４３０を準備する。また、旧ケーブルを構成する複数の信号線を旧ケーブルの旧規格コネクタ４１０（既設旧規格コネクタ）から切断して分離する。
【００７６】
続いて、旧規格コネクタ４１０（既設旧規格コネクタ）のピン番号が個別に割り当てられた複数の信号線を、各端子ユニット４３１の一次端子部と二次端子部とでピン番号が一致するように、各端子ユニット４３１の一次端子部に個別に対応させて接続する。接続治具４３０に接続される旧規格コネクタ４２０（新設旧規格コネクタ）を、中継ハーネス１４０Ａを介して新エレベーター制御基板１１０Ａの新規格コネクタ１３０Ａに接続する。
【００７７】
したがって、旧規格コネクタ４１０を利用できない場合であっても、旧ケーブルを新制御盤１００Ａの新エレベーター制御基板１１０Ａに接続する作業の容易化が図れる。
【００７８】
これにより、旧機器と旧制御盤１００との間を接続していた旧ケーブルが新エレベーター制御基板１１０Ａに接続され、新エレベーター制御基板１１０Ａは、旧機器と通信可能な状態となる。
【００７９】
新制御盤１００Ａと旧乗場機器２００との間が旧ケーブルにより接続されると、新エレベーター制御基板１１０Ａは、旧かご機器３００を制御することにより、乗客にエレベーター利用を供する通常運転を行うことが可能となる。
【００８０】
（分割施工ステップ２：かご改修）および（分割施工ステップ３：昇降路・乗場改修）
次に、このエレベーター装置に対して、図２で示した分割施工ステップ２および分割施工ステップ３により、かご機器および乗場機器・昇降路機器を取り替える。このとき、分割施工ステップ２および分割施工ステップ３は、どちらが先行してもよい。図１２は、この発明の実施の形態１に係るエレベーターのリニューアル方法が適用されるエレベーター装置における乗場機器およびかご機器取り替え後の状態を示すブロック構成図である。
【００８１】
図１２において、旧乗場機器２００および旧かご機器３００がそれぞれ新乗場機器２００Ａおよび新かご機器３００Ａに取り替えられたことにより、新制御盤１００Ａには、新乗場機器２００Ａおよび新かご機器３００Ａが接続されている。
【００８２】
分割施工ステップ２により、旧かご機器３００を新かご機器３００Ａに取り替える。この際、図８に示す状態において、旧ケーブル、接続治具４３０、旧規格コネクタ４２０、中継ハーネス１４０Ａ、新規格コネクタ１３０Ａおよび通信変換基板１２０Ａが新制御盤１００Ａから外され、新ケーブルの新規格コネクタが新エレベーター制御基板１１０Ａの新規格コネクタ１５０Ａに接続される。つまり、旧ケーブルを新ケーブルに取り替え、新制御盤１００Ａと新かご機器３００Ａとの間を新ケーブルにより接続する。これにより、新エレベーター制御基板１１０Ａは、新ケーブルを介して新シリアル通信方式によって新かご機器３００Ａと通信することとなる。
【００８３】
新制御盤１００Ａと新かご機器３００Ａとの間が新ケーブルにより接続されると、新制御盤１００Ａは、新かご機器３００Ａを制御することが可能となる。
【００８４】
分割施工ステップ３により、旧乗場機器２００を新乗場機器２００Ａに取り替える。この際、図１１に示す状態において、旧ケーブル、接続治具４３０、旧規格コネクタ４２０および中継ハーネス１４０Ａが新制御盤１００Ａから外され、新ケーブルの新規格コネクタが新エレベーター制御基板１１０Ａの新規格コネクタ１３０Ａに接続される。つまり、旧ケーブルを新ケーブルに取り替え、新制御盤１００Ａと新乗場機器２００Ａとの間を新ケーブルにより接続する。これにより、新エレベーター制御基板１１０Ａは、新ケーブルを介して新シリアル通信方式によって新乗場機器２００Ａと通信することとなる。
【００８５】
新制御盤１００Ａと新乗場機器２００Ａとの間が新ケーブルにより接続されると、新制御盤１００Ａは、新かご機器３００Ａを制御することが可能となる。
【００８６】
このように、新エレベーター制御基板１１０Ａは、新通信方式によって新乗場機器２００Ａおよび新かご機器３００Ａの少なくともいずれかを含む新機器と通信する。また、新エレベーター制御基板１１０Ａは、新ケーブルを介して新機器と通信可能なように構成される。
【００８７】
（分割施工ステップ４：巻上機取り替え）および（分割施工ステップ５：耐震工事）
続いて、このエレベーター装置に対して、図２で示した分割施工ステップ４により、巻上機を取り替える。つまり、分割施工ステップ１において旧制御盤１００を新制御盤１００Ａに取り替え、分割施工ステップ２および分割施工ステップ３において旧かご機器３００および旧乗場機器２００を、それぞれ新かご機器３００Ａおよび新乗場機器２００Ａに取り替え、その後、分割施工ステップ４において、旧巻上機を新巻上機に取り替える。
【００８８】
また、必要に応じて、分割施工ステップ５として耐震工事を行うことにより、エレベーターのリニューアルが完了する。
【００８９】
以上、分割施工ステップ１から分割施工ステップ５までの代表的なリニューアル方法を説明した。
【００９０】
なお、実施の形態１では、新制御盤１００Ａに通信変換基板１２０Ａが設けられている形態を例示した。しかしながら、図１３および図１４に示されるように、新制御盤１００Ａとは別体である付属盤５００に通信変換基板１２０Ａが設けられている形態に対しても、旧ケーブルを通信変換基板１２０Ａに接続する上記の方法、すなわち、図８に示す方法を適用することができる。図１３は、この発明の実施の形態１に係るエレベーターのリニューアル方法が適用されるエレベーター装置における制御盤取り替え後の状態の別例を示すブロック構成図である。図１４は、この発明の実施の形態１に係るエレベーター付属盤において、接続治具を用いて、旧ケーブルを通信変換基板に接続する方法を示す説明図である。
【００９１】
図１３において、分割施工ステップ１では、新制御盤１００Ａとは別体であって、通信変換基板１２０Ａが設けられた付属盤５００が新たに設置される。新制御盤１００Ａに設けられた新エレベーター制御基板１１０Ａは、付属盤５００に設けられた通信変換基板１２０Ａと接続される。通信変換基板１２０Ａには、旧乗場機器２００および旧かご機器３００が接続される。
【００９２】
図１４において、各端子ユニット４３１の二次端子部は、新設の旧規格コネクタ４２０のピン番号が個別に割り当てられて、旧規格コネクタ４２０と接続される。各端子ユニット４３１の一次端子部は、各端子ユニット４３１の一次端子部と二次端子部とでピン番号が一致するように、既設の旧規格コネクタ４１０のピン番号が個別に割り当てられた旧ケーブル信号線と接続される。
【００９３】
付属盤５００に中継ハーネス１４０Ａを取り付け、新規格コネクタ１３０Ａと新規格コネクタ１４１Ａを接続し、旧規格コネクタ４２０と旧規格コネクタ１４２Ａを接続する。これにより、旧機器と旧制御盤１００との間を接続していた旧ケーブルが通信変換基板１２０Ａに接続される。
【００９４】
したがって、新制御盤１００Ａに設けられた新エレベーター制御基板１１０Ａは、付属盤５００に設けられた通信変換基板１２０Ａを介して、旧機器と通信可能な状態となる。
【００９５】
このように、付属盤５００に通信変換基板１２０Ａが設けられている形態に対しても、旧ケーブルを通信変換基板１２０Ａに接続する上記の方法を適用することができる。また、付属盤５００が不要となれば、その付属盤５００を現場から撤去して他の現場のニューアル工事に再利用することができるので、その結果、コストを低減することができるとともに省資源化対策を行うことができる。
【００９６】
なお、ここでは、旧かご機器３００および旧乗場機器２００を、付属盤５００に設けられた通信変換基板１２０Ａを介して新エレベーター制御基板１１０Ａと通信可能な状態にする場合を例示したが、これに限定されない。すなわち、通信変換基板１２０Ａを用いなくても、新制御盤１００Ａと通信可能な状態にできる旧機器については、付属盤５００に設けられた通信変換基板１２０Ａを介さずに新エレベーター制御基板１１０Ａに接続してもよい。このように、旧制御盤１００と通信可能な状態であった、旧乗場機器２００および旧かご機器３００の少なくともいずれかを含む旧機器を、付属盤５００に設けられた通信変換基板１２０Ａを介して新エレベーター制御基板１１０Ａと通信可能な状態にする。
【００９７】
以上の図８、図１１および図１４から分かるように、接続治具４３０に接続される旧規格コネクタ４２０を、中継ハーネス１４０Ａを介して、新エレベーター制御基板１１０Ａ側の新規格コネクタ１３０Ａに接続することで、旧機器を新エレベーター制御基板１１０Ａと通信可能な状態にする。なお、図８および図１４では、新エレベーター制御基板１１０Ａ側の新規格コネクタ１３０Ａが通信変換基板１２０Ａに接続される場合を例示している。また、図１１では、新エレベーター制御基板１１０Ａ側の新規格コネクタ１３０Ａが新エレベーター制御基板１１０Ａに接続される場合を例示している。
【００９８】
以上のように、実施の形態１によれば、エレベーターのリニューアル方法は、少なくとも以下の工程Ａ〜Ｄを含んで構成されている。
（工程Ａ）
旧通信方式によって旧機器と通信する旧エレベーター制御基板を有する旧制御盤を、新通信方式によって新機器と通信する新エレベーター制御基板を有する新制御盤に取り替える。
（工程Ｂ）
複数の端子ユニットによって構成され、各端子ユニットの二次端子部に新設旧規格コネクタのピン番号を個別に割り当てて新設旧規格コネクタを接続した接続治具を準備する。
（工程Ｃ）
旧機器の旧ケーブルを構成する複数の信号線を旧ケーブルの既設旧規格コネクタから切断して分離し、既設旧規格コネクタのピン番号が個別に割り当てられた複数の信号線を、各端子ユニットの一次端子部と二次端子部とでピン番号が一致するように、各端子ユニットの一次端子部に個別に対応させて接続する。
（工程Ｄ）
接続治具に接続される新設旧規格コネクタを、中継ハーネスを介して、新エレベーター制御基板側の新規格コネクタに接続することで、旧機器を新エレベーター制御基板と通信可能な状態にする。
【００９９】
これにより、既設のエレベーターの少なくとも一部の機器をリニューアルするリニューアル工事期間中におけるエレベーターの連続休止期間を短縮することができる。また、旧ケーブルを流用する際に旧ケーブルの既設旧規格コネクタを利用できない場合であっても、バックアップ手段として上記の接続治具を用いることで、旧ケーブルを通信変換基板またはエレベーター制御基板に接続する作業の容易化が図れる。
【０１００】
なお、上記の実施の形態では、旧かご機器を新かご機器に取り替える場合と、旧乗場機器を新乗場機器に取り替える場合に本発明を適用する例を示したが、乗場機器およびかご機器以外の旧オプション機器を新オプション機器に取り替える場合等に本発明を適用してもよい。
【０１０１】
また、上記の実施の形態では、旧通信方式および新通信方式として、シリアル通信を例に挙げて説明したが、これに限定されず、上述したとおり、シリアル通信以外の通信方式、例えばパラレル通信方式であってもこの発明を適用することができる。
【符号の説明】
【０１０２】
１  機械室、２  巻上機、３  制御盤、４  調速機、５  昇降路、６  かご、７  釣り合いおもり、８  主索、９  ガイドレール、１０  終点スイッチ、１１  ドア駆動装置、１２  かご操作盤、１３  乗場、１４  乗場操作盤、１５  ピット、１６  緩衝器、１７  移動ケーブル、１８  かご上ステーション、１００  旧制御盤、１００Ａ  新制御盤、１１０  旧エレベーター制御基板、１１０Ａ  新エレベーター制御基板、１２０Ａ  通信変換基板、１２１  ＣＰＵ、１２２  ＲＡＭ、１２３  シリアル入出力部、１２４  パラレル入出力部、１３０Ａ  新規格コネクタ、１４０Ａ  中継ハーネス、１４１Ａ  新規格コネクタ、１４２Ａ  旧規格コネクタ、１５０Ａ  新規格コネクタ、２００  旧乗場機器、２００Ａ  新乗場機器、３００  旧かご機器、３００Ａ  新かご機器、４１０  旧規格コネクタ（既設旧規格コネクタ）、４２０  旧規格コネクタ（新設旧規格コネクタ）、４３０  接続治具、４３１  端子ユニット、４３２  一次端子部、４３３  二次端子部、４３４  レール、５００  付属盤。
【図１】
2019073606.tif 000003
【図２】
2019073606.tif 000004
【図３】
2019073606.tif 000005
【図４】
2019073606.tif 000006
【図５】
2019073606.tif 000007
【図６】
2019073606.tif 000008
【図７】
2019073606.tif 000009
【図８】
2019073606.tif 000010
【図９】
2019073606.tif 000011
【図１０】
2019073606.tif 000012
【図１１】
2019073606.tif 000013
【図１２】
2019073606.tif 000014
【図１３】
2019073606.tif 000015
【図１４】
2019073606.tif 000016
【国際調査報告】
2019073606.tif 000017
2019073606.tif 000018
2019073606.tif 000019
2019073606.tif 000020